(57)【要約】      （修正有）【課題】吐出口からの内容液の垂れ落ちを防止するとともに、容器本体の圧搾後の内容液の液切れを良好にすること。【解決手段】弾性変形可能な胴部２ｃを有する容器本体２と、容器本体２の口頚部２ａに装着されたキャップ部材３と、キャップ部材３に形成された吐出口３ｄと、容器本体２内に配置されるとともに先端部が容器本体２の底部付近で開口している空気流路と、キャップ部材３に配置されて吐出口３ｄと空気流路の基端部とを連通させる混合部材７と、混合部材７に配置されて吐出口３ｄと空気流路の基端部との間に位置する発泡部材５と、混合部材７の、発泡部材５と空気流路の基端部との間の位置で開口する、容器本体２内に連通する内容液流路７ｃとを具え、吐出口３ｄには、容器本体２の圧搾による泡状の内容液Ｆの圧力と圧搾後の解放による容器本体２内の負圧とのそれぞれにより弾性的に変形してスリット６ｄを開くスリットバルブ６が設けられている。【選択図】図３
2019064668.tif 000002
【特許請求の範囲】
【請求項１】
内容液の収容に適した弾性変形可能な胴部を有する容器本体と、
前記容器本体に形成された口頚部と、
前記容器本体の前記口頚部に着脱可能に装着されたキャップ部材と、
前記キャップ部材に形成された吐出口と、
前記容器本体内に配置されるとともに先端部が前記容器本体の底部付近で開口している空気流路と、
前記キャップ部材に配置されて前記吐出口と前記空気流路の基端部とを連通させる混合部材と、
前記混合部材に配置されて前記吐出口と前記空気流路の前記基端部との間に位置する発泡部材と、
前記混合部材の、前記発泡部材と前記空気流路の前記基端部との間の位置で開口する、前記容器本体内に連通する内容液流路と、
を具えるスクイズフォーマー容器において、
前記吐出口に、前記容器本体の圧搾による前記内容液の圧力と前記圧搾後の解放による前記容器本体内の負圧とのそれぞれにより弾性的に変形してスリットを開くスリットバルブが設けられていることを特徴とするスクイズフォーマー容器。
【請求項２】
前記混合部材は、前記内容液流路を有するように１部材で形成されていることを特徴とする、請求項１記載のスクイズフォーマー容器。
【請求項３】
前記混合部材は、前記発泡部材を収容する基部材に前記空気流路の基端部を形成する筒状部材が周方向に部分的に隙間を空けて嵌着されて形成され、前記隙間で前記内容液流路を画成するものであることを特徴とする、請求項１記載のスクイズフォーマー容器。
【請求項４】
前記スリットバルブは、前記発泡部材側に膨らんだ逆ドーム状の殻部を有し、
前記スリットは、前記殻部に形成されていることを特徴とする、請求項１から３までの何れか１項記載のスクイズフォーマー容器。
【請求項５】
前記キャップ部材は、前記吐出口を開閉可能な蓋部を有し、
前記蓋部は、前記吐出口を閉じた状態で前記逆ドーム状の殻部に沿う形状の内向きの突部を形成されていることを特徴とする、請求項４記載のスクイズフォーマー容器。
【発明の詳細な説明】
【技術分野】
【０００１】
本発明は、弾性変形可能な容器本体の口頚部に発泡部材が装着され、容器本体が圧搾（スクイズ）されると、容器本体に収容された空気と内容液とがその発泡部材を一緒に通過することで泡状になって吐出されるスクイズフォーマー容器に関するものである。
【背景技術】
【０００２】
従来のスクイズフォーマー容器としては例えば、本願出願人が先に特許文献１にて開示したものが知られている。このスクイズフォーマー容器は、弾性変形可能な胴部を有する容器本体の口頚部に、吐出口を持つキャップ部材を装着し、そのキャップ部材内に吐出口側から順に、網状の発泡部材と、先端部が容器本体の底部付近で開口する筒状の空気流路の基端部とを設け、それら発泡部材と空気流路の基端部との間に、容器本体内に連通する内容液流路を開口させてなる。
【０００３】
この従来のスクイズフォーマー容器では、容器本体を傾けて吐出口を下向きにした状態で容器本体を圧搾（スクイズ）すると、容器本体内で容器本体の上向きになった底部付近に移動した空気が加圧されて空気流路を通り、その空気流路の基端部から発泡部材に向かって流れるとともに、容器本体に収容された内容液も同じく加圧されて内容液供給路を通り、その内容液供給路の開口部から空気の流れで吸引されて空気と混合しながら発泡部材に向かって流れ、それらが一緒に網状の発泡部材を通過することで内容液が発泡し、その泡状の内容液が吐出口から吐出される。
【先行技術文献】
【特許文献】
【０００４】
【特許文献１】特開２０１６−０６９０３０号公報
【発明の概要】
【発明が解決しようとする課題】
【０００５】
しかしながら上記従来のスクイズフォーマー容器では、吐出口が常時開口しているため、容器本体の圧搾（スクイズ）前でも、容器本体を傾けて吐出口を下向きにすると内容液が吐出口から垂れ落ちる場合があり、また容器本体の圧搾後の吐出終了時に、内容液の液切れが良好でなく、改善の余地が残されていた。
【０００６】
それゆえ本発明の目的は、スクイズフォーマー容器における上述の如き課題を解決することにある。
【課題を解決するための手段】
【０００７】
上記課題を解決する本発明のスクイズフォーマー容器は、
内容液の収容に適した弾性変形可能な胴部を有する容器本体と、
前記容器本体に形成された口頚部と、
前記容器本体の前記口頚部に着脱可能に装着されたキャップ部材と、
前記キャップ部材に形成された吐出口と、
前記容器本体内に配置されるとともに先端部が前記容器本体の底部付近で開口している空気流路と、
前記キャップ部材に配置されて前記吐出口と前記空気流路の基端部とを連通させる混合部材と、
前記混合部材に配置されて前記吐出口と前記空気流路の前記基端部との間に位置する発泡部材と、
前記混合部材の、前記発泡部材と前記空気流路の前記基端部との間の位置で開口する、前記容器本体内に連通する内容液流路と、
を具えるものであって、
前記吐出口に、前記容器本体の圧搾による前記内容液の圧力と前記圧搾後の解放による前記容器本体内の負圧とのそれぞれにより弾性的に変形してスリットを開くスリットバルブが設けられていることを特徴としている。
【発明の効果】
【０００８】
本発明のスクイズフォーマー容器にあっては、容器本体を傾けて吐出口を下向きにした状態で容器本体の胴部を圧搾（スクイズ）すると、容器本体内で容器本体の上向きになった底部付近に移動した空気が加圧されて空気流路の先端部から空気流路を通り、その空気流路の基端部から混合部材内で発泡部材に向かって流れるとともに、容器本体内に収容された内容液も加圧されて内容液流路を通り、混合部材内で内容液流路の開口から空気の流れで吸引されて空気と混合しながら発泡部材に向かって流れ、それら内容液と空気とが一緒に網（メッシュ）状の発泡部材を通過することで内容液が発泡し、その泡状の内容液が、吐出口に設けられたスリットバルブをその内容液の圧力で弾性的に変形させてスリットを開き、そのスリットを通って吐出口から吐出される。
【０００９】
その後、容器本体の胴部を圧搾（スクイズ）状態から解放すると、容器本体の胴部が弾性力で膨らんで元の形状に復元されながら容器本体内に負圧を生じさせ、その負圧がスリットバルブを弾性的に変形させてスリットを開き、外気を容器本体内に取り込む。そして容器本体の胴部の圧搾前は、吐出口に設けられたスリットバルブが、容器本体内から内容液の圧力も負圧も加わらないのでスリットを閉じている。
【００１０】
従って、本発明のスクイズフォーマー容器によれば、容器本体の胴部の圧搾前に容器本体を傾けて吐出口を下向きにしてもスリットバルブがスリットを閉じているので、内容液が吐出口から垂れ落ちるのを防止することができる。また、容器本体の胴部の圧搾後に容器本体の胴部を圧搾状態から解放するとスリットバルブが一旦スリットを閉じるので、内容液の吐出終了時の液切れを良好にすることができる。
【００１１】
なお、本発明のスクイズフォーマー容器においては、前記混合部材は、前記内容液流路を有するように１部材で形成されていてもよい。このようにすれば、混合部材を金型で成形する際に上型と下型とのパーティングラインに内容液流路の開口を配置して金型喰い切りにより内容液流路の開口を形成できるので混合部材の製造を低コストで行うことができる。
【００１２】
また、本発明のスクイズフォーマー容器においては、前記混合部材は、前記発泡部材を収容する基部材に前記空気流路の基端部を形成する筒状部材が周方向に部分的に隙間を空けて嵌着されて形成され、前記隙間で前記内容液流路を画成するものでもよい。このようにすれば、内容液流路を発泡のための適切な形状に容易に形成することができる。
【００１３】
さらに、本発明のスクイズフォーマー容器においては、前記スリットバルブは、前記発泡部材側に膨らんだ逆ドーム状の殻部を有し、前記スリットは前記殻部に、例えばＩ字形、Ｘ字形、Ｖ字形あるいは波形等の形状で形成されていてもよい。このように逆ドーム状の殻部にスリットを形成すれば、内容液の圧力に比べて容器本体内の負圧が低くても、内容液の高圧力でその殻部を外向きに膨らむように変形させてスリットを開くとともに、容器本体内の低負圧でその殻部を内向きに膨らむように変形させてもスリットを開くことができるので好ましい。
【００１４】
さらに、本発明のスクイズフォーマー容器においては、前記キャップ部材は、前記吐出口を開閉可能な蓋部を有し、前記蓋部は、前記吐出口を閉じた状態で前記逆ドーム状の殻部に沿う形状の内向きの突部を形成されていてもよい。このようにすれば、内容液の圧力でスリットバルブが殻部を外向きに膨らむように変形させてスリットを開いた後に、その殻部が元の形状に戻りにくくなっていても、蓋部で吐出口を閉じることでその蓋部の、殻部に沿う形状の内向きの突部がその殻部を押し戻すので、殻部の元の形状への戻りを補助してスリットを確実に閉じることができる。
【図面の簡単な説明】
【００１５】
【図１】（ａ）は、本発明のスクイズフォーマー容器の一実施例を、容器本体を省略するとともにキャップ部材の蓋部を開いた状態で示す平面図であり、（ｂ）は、上記実施例のスクイズフォーマー容器の、（ａ）中のＡ−Ａ線に沿う位置での断面図である。
【図２】上記実施例のスクイズフォーマー容器の要部を拡大して示す分解斜視図である。
【図３】上記実施例のスクイズフォーマー容器を、容器本体を傾けて吐出口を下向きにした使用状態で示す断面図である。
【図４】本発明のスクイズフォーマー容器の他の一実施例の要部の構成を、蓋部を閉じた状態で示す、図１（ｂ）と同様の位置での断面図である。
【発明を実施するための形態】
【００１６】
以下、本発明の実施の形態を、図面に基づく実施例により詳細に説明する。ここに図１（ａ）は、本発明のスクイズフォーマー容器の一実施例を、容器本体を省略するとともに蓋部を開いた状態で示す平面図であり、（ｂ）は、図１（ａ）中のＡ−Ａ線に沿う位置での断面図であり、図２は、上記実施例のスクイズフォーマー容器の要部を拡大して示す分解斜視図である。この実施例のスクイズフォーマー容器１は、内容液Ｌを泡状にして吐出するもので、容器本体２と、キャップ部材３と、チューブ４と、発泡部材５と、スリットバルブ６と、混合部材７と、をそれぞれ具えている。
【００１７】
容器本体２はその頂部に、容器本体２内の内容液Ｌの収容空間Ｓに連通する通路を形成する口頚部２ａを有するとともに、口頚部２ａの下端に肩部２ｂを有し、この肩部２ｂの外周端から下方に胴部２ｃが形成され、この胴部２ｃの下端に底部２ｄが形成されて有底の筒状をなしており、その口頚部２ａの外周面には、おねじ部２ｅが形成されている。なお、胴部２ｃは可撓性を有し、外部からの押圧力により圧搾（スクイズ）すると弾性的に圧縮変形されて内容液Ｌの収容空間Ｓが縮小し、その押圧力による圧搾状態から解放すると弾性力で膨らんで元の形状に復元される。また、泡状にする内容液Ｌとしては、例えば、各種の食品調味料、化粧料、液状石鹸、薬剤等があるが、特にこれらに限定されるものではない。
【００１８】
キャップ部材３は、容器本体２の口頚部２ａに着脱可能に装着されるキャップベース３ａと、キャップベース３ａにヒンジ部３ｂを介して開閉可能に連結されるとともに閉状態（図４の他の実施例参照）でキャップベース３ａに掛止される蓋部３ｃとを一体に有し、キャップベース３ａは、中央部に略円筒状の吐出口３ｄが突出形成された天面部３ｅと、この天面部３ｅの外周端より垂下されて容器本体２の口頚部２ａを囲繞する筒体３ｆと、筒体３ｆの内周面に形成され、容器本体２の口頚部２ａの外周面のおねじ部２ｅに螺合されるめねじ部３ｇと、筒体３ｆの内側に隙間を開けて天面部３ｅより垂下されて口頚部２ａの上端開口内に密に嵌合する環状壁３ｈと、を一体に有している。
【００１９】
チューブ４は、容器本体２内に配置されて空気通路を形成するものであり、その先端部４ａが容器本体２内の底部２ｄ付近で開口している。
【００２０】
発泡部材５は、円筒状の支持部５ａと、その支持部５ａの一端部、図１では上端部を覆うようにその支持部５ａに張設された例えば目の細かい織布あるいは不織布からなる網（メッシュ）部５ｂとを有している。なお、発泡部材５の網部５ｂは、織布や不織布の代わりに例えば多数の貫通孔が形成された板材や樹脂製の網材等で形成されていてもよい。支持部５ａと網部５ｂとは射出成形で一体成形やインサート成形することもできる。
【００２１】
スリットバルブ６は、円環状の筒体６ｂと筒体６ｂの上端から内周側に形成されて発泡部材５側に膨らんだ逆ドーム状の殻部６ｃとを一体に有し、筒体６ｂの下端部には径方向外方に突出する円環状の基部６ａが一体に設けられている。筒体６ｂの上端は、吐出口３ｄの上端以下の位置にあり、好ましくは、吐出口３ｄの上端より内方に位置する。筒体６ｂは、径方向内方に突出する縦リブを持ち、殻部６ｃは、筒体６ｂの上端に結合されて支持されるとともにその縦リブの上端にも結合されて補強されている。この殻部６ｃの中央部には、例えばＩ字形のスリット（切れ目）６ｄが形成されている。
【００２２】
混合部材７は、中央部に上下方向の貫通孔を持つ略円盤状の天面部７ａと、天面部７ａの中央部から垂下されるとともに天面部７ａの貫通孔に連なる貫通孔を持つ筒状のチューブ支持部７ｂと、チューブ支持部７ｂを半径方向に貫通して容器本体２内に連通するとともに、天面部７ａの貫通孔の略下半部の内周面に軸線方向に延在する複数の縦リブの間でその貫通孔内に開口する内容液流路７ｃと、を有し、天面部７ａの貫通孔の略上半部内にはその貫通孔の下半部の縦リブの上端に当接するように発泡部材５の支持部５ａが圧入や嵌合等の手段により固定されている。
【００２３】
キャップ部材３のキャップベース３ａには、吐出口３ｄから天面部３ｅにかけて中央部の内部に各々円環状をなす二段の段部３ｉ、３ｊが形成され、下側かつ外側の段部３ｉには混合部材７の天面部７ａが嵌着されており、上側かつ内側の段部３ｊにはスリットバルブ６の円環状の基部６ａが配置され、その基部６ａは、段部３ｊと混合部材７の天面部７ａとの間に挟持されて固定されている。
【００２４】
混合部材７のチューブ支持部７ｂ内には、チューブ４の基端部４ｂが圧入されて固定されており、これによりチューブ４は、チューブ支持部７ｂの貫通孔を介して、容器本体２内の底部２ｄ付近と混合部材７の天面部７ａの貫通孔内とを連通させ、空気流路を形成している。
【００２５】
キャップ部材３の蓋部３ｃの内面の中央部には、蓋部３ｃを閉状態（図４の他の実施例参照）にした時にキャップベース３ａの吐出口３ｄの外周面と嵌合して吐出口３ｄを液密に封止する筒状部３ｋが突設されるとともに、その筒状部３ｋの半径方向内方に、蓋部３ｃを閉状態にした時にスリットバルブ６の殻部６ｃに沿うドーム状の形状（図４の他の実施例参照）の内向きの突部３ｌが突設されている。
【００２６】
この実施例のスクイズフォーマー容器１の容器本体２内の内溶液Ｌを発泡させて吐出させる際には、図３に示すように、先ず、キャップ部材３の蓋部３ｃを開状態にし、次いで、容器本体２を傾けて吐出口３ｄを下向きにした状態で容器本体２の胴部２ｃを、手指等の押圧力により圧搾（スクイズ）する。この圧搾により、容器本体２内で容器本体２の上向きになった底部２ｄ付近に移動した空気ＡＲが加圧されて、チューブ４の先端部４ａからチューブ４内の空気流路を通り、チューブ４の基端部４ｂから混合部材７の天面部７ａの貫通孔内に入って発泡部材５に向かって流れるとともに、容器本体２内に収容された内容液Ｌも加圧されて混合部材７の内容液流路７ｃを通り、天面部７ａの貫通孔内の空気ＡＲの流れで内容液流路７ｃの開口から吸引されて空気ＡＲと混合しながら発泡部材５に向かって流れる。
【００２７】
そしてそれら内容液Ｌと空気ＡＲとが一緒に発泡部材５の網部５ｂを通過することで各々微細に裁断されて内容液Ｌが発泡し、その泡状の内容液Ｆが、吐出口３ｄに設けられたスリットバルブ６の殻部６ｃをその泡状の内容液Ｆの圧力で外向きに弾性的に変形させてスリット６ｄを開き、そのスリット６ｄを通って吐出口３ｄから吐出される。
【００２８】
その後、容器本体２の胴部２ｃを圧搾状態から解放すると、スリットバルブ６の殻部６ｃが、泡状の内容液Ｆの圧力を受けなくなるため弾性力で元の逆ドーム状に戻って、一旦スリット６ｄを閉じる。次いで、容器本体２の胴部２ｃが弾性力で膨らんで元の形状に復元されながら容器本体２内に負圧を生じさせ、その負圧がスリットバルブ６の殻部６ｃを内向きに弾性的に変形させてスリット６ｄを開き、外気を容器本体２内に取り込む。また、容器本体２の胴部２ｃの圧搾前は、吐出口３ｄに設けられたスリットバルブ６の殻部６ｃが、容器本体２内から泡状の内容液Ｆの圧力も負圧も加わらないのでスリット６ｄを閉じている。
【００２９】
従って、この実施例のスクイズフォーマー容器１によれば、容器本体２の圧搾前に容器本体２を傾けて吐出口３ｄを下向きにしてもスリットバルブ６がスリット６ｄを閉じているので、内容液Ｌが吐出口３ｄから垂れ落ちるのを防止することができる。また、容器本体２の圧搾後に容器本体２を圧搾状態から解放するとスリットバルブ６が一旦スリット６ｄを閉じるので、泡状の内容液Ｆの吐出終了時の液切れを良好にすることができる。
【００３０】
さらに、この実施例のスクイズフォーマー容器１によれば、混合部材７が、内容液流路７ｃを有するように１部材で形成されていることから、混合部材７を金型で成形する際に上型と下型とのパーティングラインに内容液流路７ｃの開口を配置して金型喰い切りにより内容液流路７ｃの開口を形成できるので混合部材７の製造を低コストで行うことができる。
【００３１】
さらに、この実施例のスクイズフォーマー容器１によれば、スリットバルブ６が、発泡部材５側に膨らんだ逆ドーム状の殻部６ｃを有し、スリット６ｄがその殻部６ｃに形成されているので、泡状の内容液Ｆの圧力に比べて容器本体２内の負圧が低くても、泡状の内容液Ｆの高圧力でその殻部６ｃを外向きに膨らむように変形させてスリット６ｄを開くとともに、容器本体２内の低負圧でその殻部６ｃを内向きに膨らむように変形させてスリット６ｄを開くことができる。
【００３２】
さらに、この実施例のスクイズフォーマー容器１によれば、キャップ部材３は、吐出口３ｄを開閉可能な蓋部３ｃを有し、蓋部３ｃは、吐出口３ｄを閉じた状態で殻部６ｃに沿う形状の内向きの突部３ｌを形成されていることから、泡状の内容液Ｆの圧力でスリットバルブ６が殻部６ｃを外向きに膨らむように変形させてスリット６ｄを開いた後に、その殻部６ｃが元の形状に戻りにくくなっていても、蓋部３ｃで吐出口３ｄを閉じることでその蓋部３ｃの、殻部６ｃに沿う形状の内向きの突部３ｌがその殻部６ｃを押し戻すので、殻部６ｃの元の形状への戻りを補助してスリット６ｄを確実に閉じることができる。
【００３３】
図４は、本発明のスクイズフォーマー容器の他の一実施例の要部の構成を、蓋部を閉じた状態で示す、図１（ｂ）と同様の位置での断面図であり、この実施例のスクイズフォーマー容器１は、混合部材７の構成のみが先の実施例と異なっているので、以下には、混合部材７の構成について主に説明する。なお、図中、先の実施例におけると同様の部分はそれと同一の符号にて示す。
【００３４】
すなわち、この実施例のスクイズフォーマー容器１は、先の実施例と同様、内容液Ｌを泡状にして吐出するもので、容器本体２と、キャップ部材３と、チューブ４と、発泡部材５と、スリットバルブ６と、混合部材７とをそれぞれ具えている。
【００３５】
この実施例における混合部材７は基部材として、中央部に上下方向の貫通孔を持つ略円盤状の天面部７ａと、天面部７ａの中央部から垂下されるとともに天面部７ａの貫通孔に連なる貫通孔を持つ筒状のチューブ支持部７ｂとを有しているものの、チューブ支持部７ｂの貫通孔内には、上下方向略中央の仕切り部の上側に複数の短い縦リブが形成されるとともに、発泡部材５が二段にかつ下側の発泡部材５を上下逆向きにされてその縦リブの上端に当接するように圧入固定されている。
【００３６】
一方、チューブ支持部７ｂの貫通孔内の上記仕切り部の下側の内周面にはチューブ支持部７ｂの下端から上記仕切り部の内周端に至る浅い溝７ｄが周方向に間隔をあけて複数本形成されており、また、チューブ支持部７ｂの貫通孔内の上記仕切り部の下側には筒状部材として、チューブ装着部材８が嵌着固定されている。
【００３７】
チューブ装着部材８は先端部が裁頭円錐状に窄まった筒状の本体８ａと、その本体８ａの下端から半径方向外方へ延在するフランジ部８ｂとを有し、チューブ支持部７ｂの貫通孔の上記仕切り部の下側の内周面と本体８ａの外周面および先端面との間および、チューブ支持部７ｂの下端面とフランジ部８ｂの上端面との間に上記溝７ｄによる隙間によって、容器本体２内に連通するとともに仕切り部の下側でチューブ支持部７ｂの貫通孔内に開口する内容液流路７ｅが画成されている。
【００３８】
この実施例のスクイズフォーマー容器１によっても先の実施例と同様の作用効果を奏することができ、しかもこの実施例のスクイズフォーマー容器１によれば、混合部材７は、発泡部材５を収容する基部材として有する天面部７ａおよびチューブ支持部７ｂのうちのチューブ支持部７ｂの貫通孔内に、チューブ４の基端部４ｂを支持して空気流路の基端部を形成するチューブ装着部材８が周方向に部分的に溝７ｄによる隙間を空けて嵌着されて形成され、その隙間で内容液Ｌの流路を画成するので、内容液流路を内溶液Ｌの発泡のための適切な形状に容易に形成することができる。
【００３９】
以上、図示例に基づき説明したが、本発明のスクイズフォーマー容器は上述した実施例の構成のものに限定されず、特許請求の範囲の記載範囲内で適宜変更することができ、例えば、キャップベース３ａは、容器本体２の口頚部２ａに螺合の代わりに嵌着されるものでもよい。また、スリット６ｄはＩ字形の代わりに、Ｘ字形、Ｖ字形あるいは波形等の形状で形成されていてもよく、その形状は限定されない。
【産業上の利用可能性】
【００４０】
かくして本発明のスクイズフォーマー容器によれば、容器本体の圧搾前に容器本体を傾けて吐出口を下向きにしてもスリットバルブがスリットを閉じているので、内容液が吐出口から垂れ落ちるのを防止することができる。また、容器本体の圧搾後に容器本体を圧搾状態から解放するとスリットバルブが一旦スリットを閉じるので、内容液の吐出終了時の液切れを良好にすることができる。
【符号の説明】
【００４１】
１  スクイズフォーマー容器
２  容器本体
２ａ  口頚部
２ｂ  肩部
２ｃ  胴部
２ｄ  底部
２ｅ  おねじ部
３  キャップ部材
３ａ  キャップベース
３ｂ  ヒンジ部
３ｃ  蓋部
３ｄ  吐出口
３ｅ  天面部
３ｆ  筒体
３ｇ  めねじ部
３ｈ  環状壁
３ｉ，３ｊ  段部
３ｋ  筒状部
３ｌ  突部
４  チューブ
４ａ  先端部
４ｂ  基端部
５  発泡部材
５ａ  支持部
５ｂ  網部
６  スリットバルブ
６ａ  基部
６ｂ  筒体
６ｃ  殻部
６ｄ  スリット
７  混合部材
７ａ  天面部
７ｂ  チューブ支持部
７ｃ，７ｅ  内容液流路
７ｄ  溝
８  チューブ装着部材
８ａ  本体
８ｂ  フランジ部
ＡＲ  空気
Ｌ  内容液
Ｆ  泡状の内容液
【図１】
2019064668.tif 000003
【図２】
2019064668.tif 000004
【図３】
2019064668.tif 000005
【図４】
2019064668.tif 000006